(57)【要約】      （修正有）【課題】ラベルプリンタおよび情報処理装置の内部メモリやメモリカードのメモリ容量の削減を図ると共にトレーサビリティーの作業の効率化を図る。【解決手段】情報処理装置の表示部の設定画面において、ラベルに印字される複数の項目情報のうち履歴として保存する項目情報が設定される。制御部は、商品の項目情報および履歴情報とを有するラベルデータを生成し、メモリカードに記憶する。ラベルプリンタでは、メモリカードから所定のファイル名のラベルデータを読み出してラベル発行部によりラベルを発行する（Ｓ２００〜Ｓ２０６）。ラベルが発行されると、制御部は、ラベルデータに履歴情報が含まれているか否かを判断し、履歴情報が含まれていると判断した場合には、履歴情報が設定されている項目情報およびその内容情報が格納された履歴ファイルを作成する（Ｓ２０８）。作成された履歴ファイルは、メモリカードに保存される（Ｓ２１０）。【選択図】図８
2010260221.tif 000002
【特許請求の範囲】
【請求項１】
商品に関する商品情報と、当該商品情報の履歴を保存する場合に設定される履歴情報とを有するラベルデータを取得するデータ取得部と、
前記データ取得部により取得された前記ラベルデータに基づいて商品に関する前記商品情報が印字されたラベルを発行するラベル発行部と、
前記ラベル発行部により発行された前記ラベルに関する履歴ファイルを作成する制御部とを備え、
前記制御部は、前記ラベル発行部により発行される前記ラベルの前記ラベルデータに前記履歴情報が含まれているか否かを判断し、前記履歴情報が含まれていると判断した場合には、前記履歴情報が設定された前記商品情報を履歴ファイルに保存する
ことを特徴とするラベルプリンタ。
【請求項２】
前記制御部は、
前記ラベルデータに基づく複数の異なるレイアウトの前記商品情報が保存される前記履歴ファイルを単一の履歴ファイルにより構成する
ことを特徴とする請求項１に記載のラベルプリンタ。
【請求項３】
前記制御部は、
前記ラベルデータに基づく所定のレイアウトが印字された前記ラベルが発行される場合、発行された前記レイアウトの何れかの前記商品情報が前記履歴ファイルの何れかの前記商品情報と共通するか否かを判断し、
共通する商品情報があると判断した場合、当該レイアウトの前記商品情報を前記履歴ファイルの共通した前記商品情報の記録領域に保存し、共通する商品情報がないと判断した場合、前記履歴ファイルの共通した商品情報がない記録領域を非記録領域とする
ことを特徴とする請求項２に記載のラベルプリンタ。
【請求項４】
前記商品情報は、商品の項目情報と、当該項目情報の内容を示す内容情報とを含み、
前記履歴ファイルに保存される前記項目情報および前記内容情報は、商品の品番、商品の製造日および商品の個数の少なくとも一以上を含む
ことを特徴とする請求項１乃至請求項３の何れか１項に記載のラベルプリンタ。
【請求項５】
前記制御部は、
前記ラベル発行部により発行される前記ラベルの前記ラベルデータに、前記ラベルの前記項目情報毎に割り当てられる固有情報が関連付けられているか否かを判断し、
前記ラベルデータに前記固有情報が関連付けられていると判断した場合には、前記固有情報に対応付けられた前記履歴ファイルの保存規則に基づいて、前記固有情報に関連付けられた前記項目情報の前記内容情報を、前記履歴ファイルの予め設定されている前記項目情報に対応した位置に格納するように制御する
ことを特徴とする請求項４に記載のラベルプリンタ。
【請求項６】
前記商品に関する前記商品情報を表示する表示部をさらに備え、
前記制御部は、
前記表示部の画面に前記ラベルの前記商品情報が表示されるときに、前記ラベルの商品に関する前記商品情報の履歴を保存するか否かを選択するための設定画面を表示させ、
前記設定画面において前記商品情報の履歴の保存が選択された場合には、ラベルプリンタ本体に挿脱可能に挿入される記録媒体に前記商品情報を記憶する、または、前記ラベルプリンタ本体にケーブルを介して接続される前記情報処理装置に前記商品情報を送信する
ことを特徴とする請求項１乃至請求項５の何れか一項に記載のラベルプリンタ。
【請求項７】
前記制御部は、
履歴の保存を設定する前記設定画面において前記商品情報の履歴の保存が選択されたときには、前記表示部の画面に前記商品に関する商品情報の履歴を自動消去するか否かを選択するための設定画面を表示させる
ことを特徴とする請求項６に記載のラベルプリンタ。
【請求項８】
ラベルプリンタで発行するラベルを作成するための情報処理装置であって、
商品に関する商品情報を有する前記ラベルのレイアウトを作成するための画面および前記ラベルの前記商品情報の履歴を保存するか否かを設定するための画面を表示する表示部と、
前記表示部に表示された前記画面において、前記ラベルのレイアウトの作成および前記商品情報の履歴を保存する設定を行うための操作部と、
前記操作部により作成された前記ラベルの前記商品情報と、前記操作部より設定された前記商品情報の履歴の保存を示す履歴情報とを有するラベルデータを生成する制御部と
を備えることを特徴とする情報処理装置。
【発明の詳細な説明】
【技術分野】
【０００１】
この発明は、商品に関する情報が印字されたラベルを発行するラベルプリンタおよび情報処理装置に関するものである。詳しくは、履歴ファイルに保存するラベルの商品情報を予め設定し、ラベルの発行時に予め設定されたラベルの商品情報を履歴ファイルに保存するものである。
【背景技術】
【０００２】
現在、スーパー等の販売店で販売される食料品等の商品には、食品衛生法やＪＡＳ法の規定により、商品の内容を適切に表示することが義務付けられている。そのため、商品の包装容器には、名称（品名）、原材料名、内容量、期限表示（消費期限、賞味期限）、保存方法および製造者、製造所の所在地などの項目が印字されたラベルが貼り付けられ、消費者が商品の産地や原材料等を確認できるようになっている。このラベルの編集や発行等は一般にラベルプリンタにより行われる。
【０００３】
また、近年においては、消費者の原材料や期限表示に対する意識が高まっており、商品や商品の原材料などの流通履歴を確認できることが重要となっている。そこで、ラベルプリンタにより発行したラベルの内容をフラッシュメモリや内部メモリに履歴ファイルとして保存することで、商品の追跡を可能とするトレーサビリティーの実現を図っている。
【０００４】
例えば、特許文献１に記載される発明には、ラベルを発行する毎に、出荷日、固体識別番号、商品名、重量等の項目データを履歴ファイルとして記憶するラベル発行管理システムが記載されている。このラベル発行管理システムによれば、履歴ファイルに記憶した各項目を用いることにより商品のトレーサビリティーを実現することができる。
【先行技術文献】
【特許文献】
【０００５】
【特許文献１】特開２００５−３２４３５３号公報
【発明の概要】
【発明が解決しようとする課題】
【０００６】
しかしながら、上記特許文献１に記載される発明では、ラベルに印刷されたデータをそのまま履歴に残すことになるので、トレーサビリティーに不要なデータ、例えば商品名などのデータについても含まれてしまう。これにより、履歴ファイルを記憶するメモリ等の容量が大きくなってしまうという問題がある。また、上記特許文献１に記載される発明では、トレーサビリティーとして履歴ファイルを利用する場合に、複数の項目から必要なデータだけを選別する作業が必要となり、トレーサビリティーの作業効率を低下させてしまうという問題がある。
【０００７】
そこで、本発明は、上記課題に鑑みてなされたものであり、ラベルプリンタおよび情報処理装置の内部メモリやメモリカードのメモリ容量の削減を図ると共にトレーサビリティーの作業の効率化を図ったラベルプリンタおよび情報処理装置を提供すること目的とすることにある。
【課題を解決するための手段】
【０００８】
本発明に係るラベルプリンタは、上記課題を解決するために、商品に関する商品情報と、当該商品情報の履歴を保存する場合に設定される履歴情報とを有するラベルデータを取得するデータ取得部と、データ取得部により取得されたラベルデータに基づいて商品に関する商品情報が印字されたラベルを発行するラベル発行部と、ラベル発行部により発行されたラベルに関する履歴ファイルを作成する制御部とを備え、制御部は、ラベル発行部により発行されるラベルのラベルデータに履歴情報が含まれているか否かを判断し、履歴情報が含まれていると判断した場合には、履歴情報が設定された商品情報を履歴ファイルに保存するものである。
【０００９】
また、本発明に係る情報処理装置は、ラベルプリンタで発行するラベルを作成するための情報処理装置であって、商品に関する商品情報を有するラベルのレイアウトを作成するための画面およびラベルの商品情報の履歴を保存するか否かを設定するための画面を表示する表示部と、表示部に表示された画面において、ラベルのレイアウトの作成および商品情報の履歴を保存する設定を行うための操作部と、操作部により作成されたラベルの商品情報と、操作部より設定された商品情報の履歴の保存を示す履歴情報とを有するラベルデータを生成する制御部とを備えるものである。
【００１０】
本発明においては、情報処理装置側により作成されたラベルのラベルデータに基づいて、ラベルプリンタ側で商品に関する商品情報が印字されたラベルを発行する。ここで、本発明において商品とは、食品、工具、部品等を含むものである。情報処理装置の制御部では、ユーザの履歴保存設定に基づいて、商品に関する商品情報と当該商品情報の履歴を保存する場合に設定される履歴情報とを有するラベルデータを生成する。生成されたラベルデータは、例えばメモリカードに記憶される。
【００１１】
ラベルプリンタでは、データ取得部により商品情報と履歴情報とを有するラベルデータが取得される。ラベル発行部では、データ取得部により取得されたラベルデータに基づいて商品情報が印字されたラベルが発行される。ラベルが発行されると、制御部は、ラベル発行部により発行されたラベルのラベルデータに履歴情報が含まれているか否かを判断し、履歴情報が含まれていると判断した場合には、履歴情報が設定された商品情報を履歴ファイルに保存する。これにより、履歴を残したい商品情報のみからなる履歴ファイルを作成することができる。作成された履歴ファイルは、ラベルプリンタ本体のスロットに挿入されたメモリカードに記憶されたり、ラベルプリンタ本体内部のメモリ部に記憶される。
【発明の効果】
【００１２】
本発明によれば、発行されるラベルの商品に関する複数の商品情報のうち、必要な項目のみを抽出して履歴ファイルに残すことができるので、メモリカードや情報処理装置およびラベルプリンタの内部メモリ部の容量を削減することができる。
【図面の簡単な説明】
【００１３】
【図１】本発明の第１の実施の形態に係るラベルプリンタシステムの構成例を示す図である。
【図２】情報処理装置のブロック構成例を示す図である。
【図３】情報処理装置の表示部に表示されるラベル作成画面の一例を示す図である。
【図４】ラベルプリンタのブロック構成例を示す図である。
【図５】ラベルプリンタの表示部に表示される画面の一例を示す図である。
【図６】履歴ファイルの構成例を示す図である。
【図７】情報処理装置の動作の一例を示す図である。
【図８】ラベルプリンタの動作の一例を示す図である。
【図９】本発明の第２の実施の形態に係るラベルプリンタのメモリ部のデータ構成例を示す図である。
【図１０】履歴ファイルの構成例を示す図である。
【図１１】ラベルプリンタの動作の一例を示す図である。
【図１２】ラベルのレイアウトの構成の一例を示す図である。
【図１３】本発明の第３の実施の形態に係る履歴ファイルの構成の一例を示す図である。
【図１４】ラベルプリンタの動作の一例を示す図である。
【発明を実施するための形態】
【００１４】
以下、発明を実施するための最良の形態（以下実施の形態とする）について説明する。
＜第１の実施の形態＞
［ラベルプリンタシステムの構成例］
図１は、この発明に係るラベルプリンタシステム１００の構成例を示す図である。ラベルプリンタシステム１００は、情報処理装置１０とラベルプリンタ５０とを備えている。情報処理装置１０とラベルプリンタ５０とはケーブル８０を介して電気的に接続され、双方向にデータ通信が可能となっている。
【００１５】
情報処理装置１０は、画面上においてラベル７４のレイアウト７４ａを作成、編集等し（図３参照）、作成したラベル７４のレイアウト７４ａに基づくラベルデータを本体のスロットに挿入されたメモリカード９０に書き込む。メモリカード９０は記録媒体の一例を構成し、メモリカード９０には、例えば不揮発性メモリからなるＳＤカードやＣＦメモリ等が用いられる。
【００１６】
ラベルプリンタ５０は、情報処理装置１０から取り出されてラベルプリンタ５０の本体のスロットに挿入されたメモリカード９０からラベルデータを読み出し、読み出したラベルデータに基づくレイアウト７４ａをリール状に巻回された台紙に貼り付けられたラベル紙に印刷してラベル７４を発行する。なお、ラベルデータは、情報処理装置１０からケーブル８０を経由してラベルプリンタ５０に送信することもできる。また、情報処理装置１０およびラベルプリンタ５０のそれぞれに無線信号（ラベルデータ）の送受信が可能な送受信部を設け、ラベルデータを無線により双方向通信しても良い。
【００１７】
［情報処理装置のブロック構成例］
図２は、情報処理装置のブロック構成例を示す図である。情報処理装置１０は、制御部１２とメモリ部２０と操作部２２と表示部２４と通信用インタフェース２６とメモリカード用インタフェース２８とを備えている。これらは、互いにバス３４を介して電気的に接続されている。表示部２４は、例えばＬＣＤ（Liquid Crystal Display）や有機ＥＬ(Electro Luminescence)などの表示デバイスから構成され、制御部１２の表示制御に基づいてラベル７４のレイアウトを作成するための画面や、ラベル７４の履歴の保存設定を行うための画面等を表示する。ラベル７４の作成画面等については後述する。
【００１８】
操作部２２は、例えば入力ボタンを備えたキーボートやマウス等により構成され、ユーザのキー操作等に応じた操作信号を生成して制御部１２に供給する。メモリ部２０は例えば不揮発性メモリやＨＤＤ(Hard Disk Drive)等により構成され、メモリ部２０には作成したラベル７４のラベルデータや後述するラベルプリンタ５０側で作成された履歴ファイル等が格納される。
【００１９】
通信用インタフェース２６は、例えばＵＳＢ(Universal Serial Bus)規格の接続口（ＵＳＢポート）により構成され、例えば情報処理装置１０の筐体の側面部や背面部に設けられている。通信用インタフェース２６には、一端部がラベルプリンタ５０に接続されたケーブル８０が着脱可能に接続される。メモリカード用インタフェース２８は、メモリカード９０が挿脱可能に挿入されるスロット（挿入口）であり、例えば情報処理装置１０の筐体の側面部や背面部に設けられている。
【００２０】
制御部１２は、ＣＰＵ１４、ＲＯＭ１６およびＲＡＭ１８から構成され、情報処理装置１０の各部の動作を制御する。ＲＯＭ１６には、情報処理装置１０を動作させるための各種のプログラムや処理に必要なデータなどが記録されている。ＲＡＭ１８は、ＣＰＵ１４で各種の処理を行うときに得られたデータを一時的に記憶保持するなど、主に各種の処理の作業領域として用いられる。ＣＰＵ１４は、ＲＯＭ１６に記憶されているプログラムを実行して、情報処理装置１０が所望の動作となるように各部の制御を行う。
【００２１】
また制御部１２は、操作部２２から供給される操作信号に基づいて表示部２４の画面上でラベル７４のレイアウトを作成、編集したり、作成されたラベル７４のラベルデータを生成してスロットに挿入されるメモリカード９０やメモリ部２０に書き込む。制御部１２は、上記作成したラベル７４の複数の項目情報のうち履歴を残す項目情報が設定されている場合には、商品情報の履歴を保存する場合に設定される履歴情報と商品に関する商品情報（後述する項目情報２４２ａおよび内容情報２４２ｂを含む）とを有するラベルデータを生成してスロットに挿入されるメモリカード９０やメモリ部２０に書き込む。
【００２２】
［情報処理装置１０の表示画面の一例］
図３（Ａ）は情報処理装置１０の表示部２４に表示されるラベル作成画面２４０の一例を示す図であり、図３（Ｂ）はラベル７４の一例を示している。ユーザによりラベル作成ソフトが起動されると、表示部２４にはラベル作成画面２４０が表示される。表示部２４のラベル作成画面２４０には、ラベル７４のレイアウト７４ａを表示するレイアウト表示領域２４２とラベル７４の編集等を行うレイアウト編集領域２４４とが設けられている。図３の例では、ラベル７４のレイアウト作成が完了している場合を示しており、ラベル発行時にはレイアウト７４ａに基づくラベル７４がラベルプリンタ５０により発行される。ユーザは、ラベル７４の商品に関する項目情報２４２ａとして例えば［名称］、［品名］、［原材料名］、［価格］、［賞味期限］、［社名］および［バーコード］を入力する。さらに、各項目情報２４２ａに応じた内容情報２４２ｂ（［お菓子］、［まんじゅう］・・・など）を入力する。これにより、レイアウト表示領域２４２には、商品の複数の項目情報２４２ａと、各項目情報２４２ａの内容を示す内容情報２４２ｂとが対応付けられたラベル７４のレイアウト７４ａが表示される。
【００２３】
レイアウト編集領域２４４には、ラベル７４の文字のフォント、サイズの設定やレイアウト枠を作成するための編集入力部２４４ｄが設けられている。また、レイアウト編集領域２４４には、ラベルプリンタ５０によりラベル７４を発行したときに、ラベル７４の複数の項目情報２４２ａのうち履歴を保存する項目情報２４２ａを設定するための履歴ボタン２４４ａが設けられている。例えば、作成したラベル７４のレイアウト７４ａの項目情報［賞味期限］をドラックした後に履歴ボタン２４４ａを選択することにより、履歴ファイルに保存する（残す）項目情報２４２ａとして［賞味期限］が設定され（図３（Ａ）中色付き囲み部分）、この項目情報２４２ａに対応する［０９．０２．１８］が後述する履歴ファイル（図６参照）に格納される。
【００２４】
なお、上述した例では、特定の項目情報２４２ａの履歴を残す手段としてレイアウト編集領域２４４に履歴ボタン２４４ａを設けたが、これに限定されることはない。例えば、図３（Ａ）に示した商品の各項目情報２４２ａの左側に履歴保存の設定の有無をチェックするチェックボックスを設ける方法も採用することができる。制御部１２は、各項目情報２４２ａのチェックボックスがチェックされたときに、チェックされた商品の項目情報２４２ａを履歴に保存すると判断し、この項目情報２４２ａに対応する内容情報２４２ｂを履歴ファイルに格納する。
【００２５】
［ラベルプリンタのブロック構成例］
図４は、ラベルプリンタ５０のブロック構成例を示す図である。ラベルプリンタ５０は、制御部５２とメモリ部６０と操作部６２と表示部６４とラベル発行部６６と通信用インタフェース６８とメモリカード用インタフェース７０とを備えている。これらは、互いにバス７６を介して電気的に接続されている。
【００２６】
表示部６４は、例えばＬＣＤ（Liquid Crystal Display）や有機ＥＬ(Electro Luminescence)などの表示デバイスから構成され、ラベルプリンタ５０の筐体の主平面上部に設けられている（図１参照）。表示部６４は、制御部５２から供給される画像信号に基づいて、情報処理装置１０で作成されたラベル７４のラベルデータの各項目情報２４２ａや内容情報２４２ｂ（レイアウト画像）を表示する。
【００２７】
操作部６２は、例えば、ラベルプリンタ５０の筐体の主平面に設けられた複数の操作キーを有するキーボート等により構成され、ユーザのキー操作等に応じた操作信号を生成して制御部１２に供給する。操作部６２としてのキーボードには、数字や文字キー、発行／確定キーや電源キー等が設けられている（図１参照）。
【００２８】
メモリ部６０は、例えば不揮発性メモリやＨＤＤ(Hard Disk Drive)等により構成され、ラベルプリンタ５０の筐体に内蔵されている。メモリ部６０には、例えば、発行されるラベル７４の特定の項目情報２４２ａおよびこれに対応した内容情報２４２ｂのみが格納された履歴ファイル等が格納される。ラベル発行部６６は、例えば熱転写方式が採用され、サーマルヘッドやラベル７４を搬送する搬送機構等を有している。
【００２９】
通信用インタフェース６８は、例えばＵＳＢ(Universal Serial Bus)規格の接続口（ＵＳＢポート）により構成され、ラベルプリンタ５０の背面側に設けられている。通信用インタフェース６８には、一端部がラベルプリンタ５０に接続されたケーブル８０が接続される。なお、通信用インタフェース６８は、データ取得部の一例を構成している。メモリカード用インタフェース７０は、メモリカード９０が挿脱可能に取り付けられるスロット（挿入口）により構成され、例えば情報処理装置１０の側面部に設けられている。なお、メモリカード用インタフェース７０は、データ取得部の一例を構成している。
【００３０】
制御部５２は、ＣＰＵ５４、ＲＯＭ５６およびＲＡＭ５８により構成され、ラベルプリンタ５０の各部の動作を制御する。ＲＯＭ５６は、ラベルプリンタ５０を動作させるための各種のプログラムや処理に必要なデータなどが記録されたものである。ＲＡＭ５８は、ＣＰＵ５４で各種の処理を行うときに得られたデータを一時的に記憶保持するなど、主に各種の処理の作業領域として用いられるものである。ＣＰＵ５４は、ＲＯＭ５６に記憶されているプログラムを実行して、ラベルプリンタ５０が所望の動作となるように各部の制御を行う。
【００３１】
制御部５２は、ユーザのファイル呼び出し命令に基づいて、メモリカード用インタフェース２８に挿入されたメモリカード９０のラベルデータを読み込んで、読み込んだラベルデータに基づくラベル７４のレイアウト７４ａを表示部６４に表示する。また、制御部５２は、ラベル発行部６６によりラベル７４が発行されるとき、このラベル７４に印字された項目情報２４２ａのうちユーザにより履歴の保存設定がなされた項目情報２４２ａを履歴ファイルに格納する。
【００３２】
［ラベルプリンタの表示画面の一例］
図５（Ａ）〜図５（Ｄ）は、ラベルプリンタ５０に挿入されたメモリカード９０から任意のファイルを呼び出したときに表示部６４に表示される画面６４０の遷移の一例を示す図である。図５（Ａ）に示すように、ラベルプリンタ５０の画面６４０には、読み込んだファイルのラベル７４の各項目情報２４２ａが表示される。この例では、例えば項目情報［品名］と内容情報［まんじゅう］が表示されている。画面６４０の下部には、各種設定を行う設定ボタン６４０ｂ、ラベル７４の編集を行う編集ボタン等が表示される。
【００３３】
画面６４０においてユーザにより設定ボタン６４０ｂが選択されると、図５（Ｂ）に示すように、設定画面６４０ａに切り換わり、例えば「履歴機能の設定」および「パスワードの設定」の文字およびこれらの設定を選択するためのチェックボックス６４０ｃが表示される。
【００３４】
設定画面６４０ａにおいてユーザにより「履歴機能の設定」のチェックボックス６４０ｃが選択されると、図５（Ｃ）に示すように、設定画面６４０ａには「履歴を残す？」のメッセージが表示されると共に、設定画面６４０ａの下部には「はい」，「いいえ」の選択ボタン６４０ｄ等が表示される。
【００３５】
ここで、「はい」の選択ボタン６４０ｄが選択されると、図５（Ｄ）に示すように、履歴機能の設定から履歴の保存期間の設定に切り換わり、画面上に「履歴の保存期間の設定」のメッセージが表示される。設定画面６４０ａには、例えば履歴ファイルを「自動消去」および「手動消去」の文字およびこれらを選択するためのチェックボックス６４０ｅ，６４０ｆが表示される。「自動消去」のチェックボックス６４０ｅが選択されると、例えば、ＦＩＦＯ(First-In First-Out)方式により、履歴ファイルの記憶時から任意に設定された所定期間が経過した時点でこのラベル７４（ファイル）の履歴ファイルが消去される。
【００３６】
また、「手動消去」のチェックボックス６４０ｆが選択されると、ユーザが選択した履歴ファイルを消去操作することにより、選択した履歴ファイルをその都度消去する。メモリ部６０やメモリカード９０の容量が不足した場合には、これをユーザに知らせるために、履歴ファイルを自発的に削除するようなメッセージを表示部６４の画面６４０に表示させても良い。
【００３７】
一方、図５（Ｃ）に示す履歴機能の設定画面６４０ａにおいてユーザにより「いいえ」の選択ボタン６４０ｄが選択された場合には、図５（Ａ）に示すラベル表示画面に再度切り換わる。この場合には、発行されたラベル７４の履歴はメモリカード９０等に保存されない。なお、上述した履歴ファイルの保存の有無や自動消去等の設定方法は、上述した設定方法に限定されることはない。
【００３８】
［履歴ファイルの構成例］
図６は、履歴ファイルの構成例を示す図である。履歴ファイルは、ラベル７４の発行時に、ラベル７４に印字される複数の項目情報２４２ａのうち、情報処理装置１０側でユーザにより設定された特定の項目情報２４２ａのみが格納されたデータベースにより構成されるものである。本例では、履歴ファイルには、ラベル７４に印字される複数の項目情報２４２ａのうち［品番］、［価格］および［賞味期限］のみが格納され、さらにこれらに加えてラベル７４の発行時に生成される［発行日］および［発行枚数］が格納される。［品番］は、ラベル７４の項目情報２４２ａのバーコードを変換することにより得られる。商品名や製造メーカについては、［品番］が分かれば把握できるので本例では履歴ファイルに保存していない。［発行日］は、ラベルプリンタ５０の制御部５２に設けられる日時カウント部により自動計算される。このようにして、トレーサビリティーに必要な最小限の商品の項目情報２４２ａのみを履歴ファイルとして残すことにより、メモリ容量の削減や必要な項目情報２４２ａの検索時間の短縮が図られる。
【００３９】
［ラベルプリンタシステムの動作例］
次に、この発明に係るラベルプリンタシステム１００の動作の一例について説明する。以下では、情報処理装置１０の動作とラベルプリンタ５０の動作とを分けて説明する。まず、情報処理装置１０の動作の一例について説明する。
【００４０】
（情報処理装置の動作例）
図７は、情報処理装置の動作の一例を示すフローチャートである。図７に示すように、ステップＳ１００では、表示部２４のラベル作成画面２４０においてラベル７４のレイアウト７４ａを作成する。ラベル７４のレイアウト７４ａの作成が完了したらステップＳ１０２に進む。
【００４１】
ステップＳ１０２では、履歴ファイルに保存する項目情報２４２ａがある場合には、ラベル作成画面２４０において履歴ファイルに残したい項目情報２４２ａを設定する。履歴保存機能の設定は、上述したように、履歴ファイルに保存する項目情報２４２ａ、例えば［賞味期限］をドラックして履歴ボタンを選択したり（図３（Ａ）参照）、各項目情報２４２ａ、例えば［賞味期限］に隣接して設けたチェックボックスをチェックすることにより行われる。
【００４２】
ステップＳ１０４で制御部１２は、履歴保存機能が設定されているか否かを判断し、履歴保存機能が設定されていると判断した場合には、履歴情報、項目情報２４２ａおよび内容情報２４２ｂを含むラベルデータを生成し、ユーザのラベルデータの保存指示に基づいて生成したラベルデータをメモリカード９０に書き込む。このとき、各ラベルデータは、ユーザによりファイル名が付けられてメモリカード９０にそれぞれ保存される。一方、履歴保存機能が設定されていない場合には、制御部１２は、ラベル７４のレイアウト７４ａに基づくラベルデータを生成してメモリカード９０に書き込む。
【００４３】
また、図１に示したように、情報処理装置１０とラベルプリンタ５０とがケーブル８０により接続されている場合には、ラベルデータをケーブル８０を介してラベルプリンタ５０に送信し、ラベルプリンタ５０のメモリ部６０にラベルデータを記憶する。このようにして、ラベル７４の作成および履歴を残す項目情報２４２ａの設定が完了したら、続けてラベルプリンタ５０により情報処理装置１０で作成した各データに基づいてラベル７４の発行および履歴ファイルの作成を行う。
【００４４】
（ラベルプリンタ５０の動作例）
図８は、ラベルプリンタ５０の動作の一例を示すフローチャートである。図８に示すように、ステップＳ２００で制御部５２は、ユーザによるファイル名の入力により、ラベルプリンタ５０のメモリカード用インタフェース７０に挿入されたメモリカード９０からファイル名に基づくラベルデータを読み出し、表示部６４の画面にラベル７４の項目情報２４２ａ等を表示する。また、制御部５２は、情報処理装置１０からケーブル８０を介してラベルデータを受信した場合には、受信したラベルデータを内部のメモリ部６０に記憶し、ユーザにより呼び出されたファイル名に対応したラベルデータをメモリ部６０から読み出し、表示部６４の画面にラベル７４の項目情報２４２ａ等を表示する。
【００４５】
ステップＳ２０２では、ラベル７４の発行後にラベル７４に印字される所定の項目情報２４２ａの履歴を履歴ファイルに保存するか否かを設定する。この所定の項目情報２４２ａは、上述した情報処理装置１０側で履歴を残す項目情報２４２ａとして設定されたラベル７４の項目情報である。制御部５２は、例えば図５（Ｃ）に示す設定画面６４０ａにおいて「はい」が選択されたと判断した場合には、設定された項目情報２４２ａを履歴ファイルに保存（更新）する制御を実行し、設定画面６４０ａにおいて「いいえ」が選択されたと判断した場合には発行するラベル７４の項目情報２４２ａを履歴ファイルとして保存しないような制御を実行する。
【００４６】
ステップＳ２０４では、履歴を自動消去するか否かを設定する。上述した履歴機能の設定画面において履歴機能が「はい」に設定されると、図５（Ｄ）に示す履歴の保存期間の設定画面６４０ａに切り換わる。この設定画面６４０ａにおいて履歴を「自動消去」するかまたは「手動消去」するかの設定がユーザにより行われる。
【００４７】
ステップＳ２０６でラベル発行部６６は、上述した履歴機能の設定および履歴の保存期間の設定が完了すると、ユーザの発行指示に基づいて表示部６４の画面に表示されているファイルのラベル７４を発行する。
【００４８】
ステップＳ２０８で制御部５２は、ラベル７４が発行されたと判断すると、ラベル７４に印字される複数の項目情報２４２ａのうち、情報処理装置１０側でユーザにより設定された特定の項目情報２４２ａのみが格納される履歴ファイルを作成する。具体的には、制御部５２は、ステップＳ２０２で履歴保存機能が設定されているか否かを判断すると共に、発行されるラベル７４のラベルデータに項目情報の履歴を残す場合に設定される履歴情報が含まれているか否かを判断する。これらの条件を満たす場合には、この履歴情報が設定された項目情報２４２ａに対応した内容情報２４２ｂを履歴ファイルに保存するように制御する。一方、これらの条件を満たさない場合には、ラベル７４の項目情報２４２ａおよび内容情報２４２ｂの履歴を履歴ファイルに保存しないように制御する。
【００４９】
ステップＳ２１０で制御部５２は、作成した履歴ファイルをメモリカード９０に書き込む。なお、履歴ファイルは、内部のメモリ部６０に書き込んだり、ケーブル８０を介して情報処理装置１０に送信し、情報処理装置１０のメモリ部２０に格納することもできる。
【００５０】
ステップＳ２１２では、履歴ファイルの作成が終了すると、発行されたラベル７４の項目情報２４２ａや内容情報２４２ｂを変更するか否かを判断する。ラベル７４の項目内容を変更する場合にはステップＳ２１４に進み、ラベル７４の項目内容を変更しない場合にはラベル発行および履歴ファイル作成の一連の動作を終了する。
【００５１】
ステップＳ２１４ではラベル７４の項目情報２４２ａや内容情報２４２ｂの変更がユーザにより行われた後にステップＳ２０２に進み、再度この変更した項目情報２４２ａや内容情報２４２ｂを履歴に残すか否かの設定が行われる。ラベル７４の項目内容の変更としては、たとえば、ラベル７４の［発行枚数］を５０枚から１０枚に変更する場合や、［価格］を１００円から１５０円に変更する場合等が挙げられる。
【００５２】
以上説明したように、本実施の形態によれば、発行されるラベル７４の商品に関する複数の項目情報２４２ａのうち、必要な項目情報２４２ａのみを抽出して履歴ファイルを作成（更新）することができるので、従来と比べて、メモリカード９０やラベルプリンタ５０のメモリ部６０、情報処理装置１０のメモリ部３０の容量を削減することができる。また、例えば、トレーサビリティーに必要な項目情報２４２ａのみを履歴ファイルに保存することができるので、トレーサビリティーにおける作業効率の向上を図ることができる。
【００５３】
＜第２の実施の形態＞
第２の実施の形態は、情報処理装置１０側で入力されたラベル７４の各項目情報２４２ａに対応するキーワードに関連付けられたファイル保存処理をラベルプリンタ５０側で実行することにより、所定形式の履歴ファイルを作成するものである。なお、上記第１の実施の形態で説明した情報処理装置１０およびラベルプリンタ５０と共通する構成要素には同一の符号を付し、詳細な説明は省略する。
【００５４】
［情報処理装置の構成例］
まず、情報処理装置１０の表示部２４に表示されるラベル作成画面２４０の一例について図３を参照して説明する。情報処理装置１０の表示部２４のラベル作成画面２４０のレイアウト編集領域２４４には、ラベル７４のレイアウト７４ａ中の項目情報２４２ａおよび内容情報２４２ｂの変更をラベルプリンタ５０側で可能とするチェックボックス２４４ｂ、およびラベル７４の各項目情報２４２ａに関連付けられたキーワードを入力するためのキーワード入力部２４４ｃが設けられている。
【００５５】
キーワード入力部２４４ｃに入力されるキーワードは、ラベル７４の項目情報２４２ａ毎に設定される固有情報であって、例えば、項目情報［品番］にはキーワード［品番］が割り当てられ、項目情報［価格］にはキーワード［価格］が割り当てられている。本例では、項目情報２４２ａとキーワードとを同一の名称に設定したが、もちろん異なる名称であっても良い。
【００５６】
情報処理装置１０側の制御部１２は、ラベル７４のレイアウト７４ａの作成が完了すると、入力されたキーワード情報、履歴情報、項目情報２４２ａおよび内容情報２４２ｂを含むラベルデータを生成し、この生成したラベルデータをスロットに挿入されたメモリカード９０に書き込む。
【００５７】
ラベルプリンタ５０側の制御部５２では、スロットに挿入されたメモリカード９０を読み込み、ラベルデータに含まれるキーワード情報に基づいて、後述するキーワードに対応付けられたプログラムを実行し、例えば、ラベル７４のレイアウト７４ａの内容情報２４２ｂを発行時に変換してラベル７４に印刷したり、履歴ファイルの予め設定された配列位置に項目情報２４２ａや内容情報２４２ｂを格納する。
【００５８】
［ラベルプリンタの構成例］
次に、ラベルプリンタ５０のメモリ部６０に格納されるプログラムおよびこのプログラムに従って作成される履歴ファイルについて説明する。図９は、ラベルプリンタ５０のメモリ部６０のデータ構成例を示す図である。図１０は、履歴ファイルの構成例を示す図である。
【００５９】
図９に示すように、ラベルプリンタ５０のメモリ部６０には、ラベル７４の各項目情報２４２ａのキーワードに対応付けられたプログラムが記憶されている。プログラムは保存規則の一例を構成している。例えば、メモリ部６０には、ラベル７４の項目情報［品番］に付けられたキーワード［品番］に対してプログラムＰｂが対応付けられて記憶されている。プログラムＰｂは、ラベルデータの読み込み時や発行時にキーワード情報［品番］を検出すると、図１０に示すように、ラベル７４の発行時に履歴ファイルのＢの項目欄に、ラベル７４の項目情報［品番］の内容である［ＡＢ１２３４］を格納するように制御部５２を動作させる。
【００６０】
またメモリ部６０には、ラベル７４の項目情報［価格］に付けられたキーワード［価格］に対してプログラムＰｃが対応付けられて記憶されている。プログラムＰｃは、ラベルデータの読み込み時等にキーワード情報［価格］を検出すると、ラベル７４の発行時に履歴ファイルのＥの項目欄に、ラベル７４の項目情報［価格］の内容である［１００］を格納するように制御部５２を動作させる。また、プログラムＰｃは、ラベルデータの読み込み時にキーワード情報［価格］を検出すると、履歴ファイルにＦの項目欄を追加すると共に、「消費税込み価格＝価格の内容情報（１００）×１．０５」を計算し、計算した消費税込み価格［１０５］をＦの項目欄に格納するように動作させる。
【００６１】
このようにして、情報処理装置１０側で設定したキーワードに対応したプログラムによる保存規則に従って履歴ファイルを作成することにより、ラベル７４の項目情報２４２ａを履歴ファイルの予め設定した配列位置に格納したり、消費税込み価格を自動計算して履歴ファイルに保存したりすることができる。このように構成された履歴ファイルは、ｎ行ｍ列により構成され（ｎ，ｍは整数）、履歴ファイルの行方向には６個（Ａ欄からＦ欄）の項目情報２４２ａが配列される。なお、本例では、便宜上各キーワードに対応するプログラムＰｂ，Ｐｃ・・・を分けて説明しているが、これらのプログラムＰｂ，Ｐｃ・・・を一つプログラムにより構成することもできる。
【００６２】
［ラベルプリンタシステムの動作例］
次に、第２の実施の形態に係るラベルプリンタシステム１００の動作の一例について説明する。まず、情報処理装置１０の動作の一例について上述した図７を参照して説明する。情報処理装置１０側において、ユーザにより「本体で編集する」のチェックボックス２４４ｂがチェックされ、キーワード入力部２４４ｃにキーワードが入力されると（図３（Ａ）参照）、制御部１２は、履歴情報およびキーワード情報を有するラベルデータを生成し、生成したメモリカード９０に書き込む。ラベルデータが書き込まれたメモリカード９０は、情報処理装置１０から取り外され、ラベルプリンタ５０のメモリカード用インタフェース７０に挿入される。
【００６３】
次に、ラベルプリンタ５０の動作の一例について説明する。図１１は、ラベルプリンタ５０の動作の一例を示すフローチャートである。ステップＳ４００からステップＳ４０６の動作は、第１の実施の形態のラベルプリンタ５０の図８で示したステップＳ２００からステップＳ２０６の動作と同様であるため説明を省略する。
【００６４】
ステップＳ４０８で制御部５２は、ラベル７４が発行されると、発行されるラベル７４のラベルデータにキーワード情報が含まれているか否かを判断する。キーワード情報が含まれていると判断した場合にはステップＳ４１０に進み、キーワード情報が含まれていないと判断した場合にはステップＳ４１２に進む。
【００６５】
ステップＳ４１０で制御部５２は、キーワード情報に対応したプログラムをメモリ部６０から読み出して、読み出したプログラムを実行することにより履歴ファイルを作成する。例えば、制御部５２は、ラベル７４の項目情報［価格］に付けられたキーワード［価格］を検出すると、図１０に示すように、履歴ファイルのＥの項目欄に、ラベル７４の項目情報［価格］の内容である［１００］を格納する。また、履歴ファイルにＦの項目欄を追加すると共に、「１００×１．０５」を計算し、計算した消費税込み価格［１０５］をＦの項目欄に格納する。
【００６６】
一方、ステップＳ２１２で制御部５２は、データベースにキーワード情報が付加されていないと判断した場合には、上記第１の実施の形態と同様の動作により、ユーザにより作成されたラベル７４の商品に関する履歴ファイルを作成する。
【００６７】
ステップＳ２１４で制御部５２は、ユーザの書き込み指示により、作成した履歴ファイルをメモリカード９０に書き込む。なお、履歴ファイルは、内部のメモリ部６０に書き込んだり、ケーブル８０を介して情報処理装置１０に送信し、情報処理装置１０のメモリ部２０に格納することもできる。ラベル７４の項目情報２４２ａや内容情報２４２ｂ等に変更がある場合には、ステップＳ４１８に進み、ラベル７４の項目情報２４２ａや内容情報２４２ｂ等を変更してステップＳ４０２に進む。
【００６８】
以上説明したように、本実施の形態によれば、上述した第１の実施の形態で得られる作用効果に加えて、情報処理装置１０側においてラベル７４の項目情報２４２ａに割り当てられたキーワードを設定し、ラベルプリンタ５０側ではキーワード情報に関連付けられたプログラム（ファイル保存規則）を実行することにより、ラベル７４の内容情報２４２ｂを履歴ファイルの予め設定した位置に格納することができる。また、キーワードを変換規則に基づくプログラムに関連付けることにより、１つの内容情報２４２ｂ、例えば価格［１００］から、例えば２つの内容情報２４２ｂ、価格［１００］と消費税込み価格［１０５］を得ることができ、入力を簡素化することができる。
【００６９】
＜第３の実施の形態＞
次に、第３の実施の形態について図面を参照して説明する。なお、上述した第１の実施の形態で説明した情報処理装置１０およびラベルプリンタ５０と共通する構成要素には同一の符号を付し、詳細な説明は省略する。
【００７０】
［履歴ファイルの構成例］
第１および第２の実施の形態で説明したラベル７４は、商品毎に商品内容が異なるので、商品毎に設けられる。図１２（Ａ）および図１２（Ｂ）は、ラベル７４のレイアウトの一例を示す図である。図１２（Ａ）および図１２（Ｂ）に示すように、まんじゅう等の冷凍しない商品とハンバーグ等の冷凍する商品とでは、ラベル７４に印字されるレイアウトの項目内容や項目数が異なるものとなる。例えば、まんじゅうのレイアウト７４ｃには、商品項目として「名称」，「品名」，「製造日」，「廃棄日」，「消費期限」が設けられる。ハンバーグのレイアウト７４ｄには、商品項目として「名称」，「品名」，「製造日」，「解凍開始時間」，「解凍完了時間」，「消費期限」が設けられる。
【００７１】
このように、まんじゅうのレイアウト７４ｃとハンバーグのレイアウト７４ｄとは、「名称」，「品名」，「原材料名」，「製造日」，「消費期限」については項目が共通しているが、その他の「廃棄日」，「解凍開始時間」，「解凍完了時間」については商品毎に項目が異なっている。
【００７２】
そのため、上述したような履歴ファイルを作成する場合には、レイアウト７４ｃ，７４ｄ毎に２個の履歴ファイルを作成しなければない。その結果、レイアウトのバリエーション（個数）が増えるほど、メモリの記憶容量が増大してしまうという問題がある。そこで、第３の実施の形態では、各レイアウトにおいて履歴ファイルに残したい項目を選択し、選択した各レイアウトの項目を一つの履歴ファイルにまとめることで、メモリ容量の削減等を図っている。
【００７３】
図１３は、履歴ファイルの構成の一例を示す図である。例えば、レイアウト７４ｃにおいて履歴ファイルに残したい項目として「品名」，「製造日」，「廃棄日」，「消費期限」が選択されると共に、レイアウト７４ｄにおいて「品名」，「製造日」，「解凍開始時間」，「解凍完了時間」，「消費期限」が選択された場合には（図１２中色付き部分）、図１３に示すように、「品名」，「製造日」，「廃棄日」，「解凍開始時間」，「解凍完了時間」，「消費期限」の項目が設けられた１つ（単一）の履歴ファイルが作成される。なお、レイアウト７４ｃ，７４ｄの共通した項目、例えば「品名」等については一つの項目欄にまとめられる。履歴ファイルに残したい項目の選択は、上述した情報処理装置１０により行っても良いし、ラベルプリンタ５０により行っても良い。
【００７４】
そして、履歴ファイルの項目が、発行されたラベル７４のレイアウトの複数の項目の何れかの項目と一致（共通）する場合には、一致した履歴ファイルの項目の記録領域にレイアウトの一致した項目の項目内容が保存される。例えば、レイアウト７４ｃを印字する場合には、履歴ファイルの「品名」の項目とレイアウト７４ｃの「品名」の項目とが一致するので、レイアウト７４ｃの「品名」の「まんじゅう」が履歴ファイルの一致する「品名」の記録領域に保存される。
【００７５】
一方、履歴ファイルの複数の項目の中に、発行されたラベル７４のレイアウトの項目と一致（共通）しない項目がある場合には、履歴ファイルの該当する項目の記録領域には何も保存されない。例えば、レイアウト７４ｃを印字する場合、履歴ファイルの「解凍開始時間」および「解凍完了時間」の項目は、印字したレイアウト７４ｃの何れの項目とも一致しないので、この場合には履歴ファイルの「解凍開始時間」および「解凍完了時間」の記録領域Ｅm1，Ｅm2には何も保存されない。つまり、非記録領域（空欄）とされる。同様に、レイアウト７４ｄを印字する場合、履歴ファイルの「廃棄日」の項目は印字するレイアウト７４ｄの何れの項目と一致しないので、履歴ファイルの「廃棄日」の記憶領域Ｅm3には何も保存されず、非記録領域とされる。
【００７６】
［ラベルプリンタの動作例］
次に、第３の実施の形態に係るラベルプリンタの動作の一例について説明する。以下の説明では、図１２（Ａ）示したレイアウト７４ｃが印字されたラベル７４を発行する場合のラベルプリンタの動作例について説明する。
【００７７】
図１４は、ラベルプリンタの動作の一例を示すフローチャートである。図１４に示すように、ステップＳ５００で制御部５２は、ユーザにより選択された履歴ファイルに残す項目の項目情報を取得する。例えば、ユーザは、複数のレイアウトが記録されたメモリカード９０をラベルプリンタ５０のスロットに差し込んで、特定のレイアウトを選択して画面上に表示させる。そして、画面上に表示したレイアウト中の複数の項目のうち履歴ファイルに残したい項目を操作部６２により選択して入力する。
【００７８】
例えば、図１２（Ａ）に示すレイアウト７４ｃにおいて「品名」，「製造日」，「廃棄日」，「消費期限」の項目（色付き部分）がユーザにより選択されると、制御部５２はこれらの選択された項目に基づく項目情報を取得する。また、図１２（Ｂ）に示すレイアウト７４ｄにおいて「品名」，「製造日」，「解凍開始時間」，「解凍完了時間」，「消費期限」の項目（色付き部分）がユーザにより選択されると、制御部５２はこれらの選択された項目に基づく項目情報を取得する。
【００７９】
ステップＳ５０２で制御部５２は、操作部６２から取得した項目情報に基づいて履歴ファイルを作成する。例えば、図１３に示す項目欄に順番に、ユーザにより選択された「品名」，「製造日」，「廃棄日」，「解凍開始時間」，「解凍完了時間」，「消費期限」の項目を配置して、一つ（単一）のまとまった履歴ファイルを作成する。作成された履歴ファイルは、例えば、メモリカード９０やラベルプリンタ５０の内部のメモリ部６０に記憶される。
【００８０】
ステップＳ５０４では、発行するラベル７４の履歴を保存するか否かの選択がユーザにより行われる。また、ステップＳ５０６では、作成された履歴ファイルを自動消去するか否かの選択がユーザにより行われる。
【００８１】
ステップＳ５０８で制御部５２は、ユーザにより例えばレイアウト７４ｃの印刷指示があると、印刷指示されたレイアウト７４ｃをラベル７４に印字して発行するようにラベル発行部６６を制御する。
【００８２】
ステップＳ５１０で制御部５２は、ラベル７４の履歴の保存が選択されているか否かを判断する。履歴の保存が選択されていると判断した場合にはステップＳ５１２に進む。一方、履歴の保存が選択されていないと判断した場合には、ラベル７４の発行後にレイアウト７４ｃの項目情報の履歴を履歴ファイルに保存せずにステップＳ５１８に進む。
【００８３】
ステップＳ５１２で制御部５２は、履歴ファイルの複数の項目が、発行されたレイアウト７４ｃの複数の項目の何れかと一致（共通）するか否かを判断する。例えば、レイアウト７４ｃを発行する場合には、履歴ファイルの第１列目の「品名」の項目とレイアウト７４ｃの「品名」の項目とが一致しているので、レイアウト７４ｃの項目の中に一致する項目があると判断してステップＳ５１４に進む。このような判断を履歴ファイルの全列（図１３では第１列から第６列）について行う。一方、履歴ファイルの４列目を見たとき、履歴ファイルの「解凍開始時間」の項目と一致する項目はレイアウト７４ｃの項目の中には存在しないので、レイアウト７４ｃの項目に一致の項目がないと判断してステップＳ５１６に進む。
【００８４】
ステップＳ５１４で制御部５２は、レイアウト７４ｃの一致した項目の内容を、履歴ファイルの一致した項目の記録領域に保存する。例えば、履歴ファイルの第１列目の「品名」に対応した記録領域にレイアウト７４ｃの「品名」に対応付けられた「まんじゅう」を保存する。
【００８５】
一方、ステップＳ５１６で制御部５２は、履歴ファイルの項目の中で印字したレイアウト７４ｃの項目と一致しない項目がある場合には、履歴ファイルの該当する項目の記録領域には何も保存しない。例えば、履歴ファイルの４列目の「解凍開始時間」の項目は印字したレイアウト７４ｃ中の何れの項目とも一致しないので、この場合には履歴ファイルの「解凍開始時間」の記録領域に何も保存されない。
【００８６】
次に、ステップＳ５１８で制御部５２は、ユーザにより他のレイアウト７４ｄ等の発行が指示されたか否かを判断する。他のレイアウト７４ｄの発行が指示されたと判断した場合にはステップＳ５０８に戻り、上述した動作と同様の動作によりレイアウト７４ｄを印刷する。一方、他のレイアウトの発行が指示されていないと判断した場合には、レイアウトの印刷および履歴の保存処理を終了する。
【００８７】
なお、ステップＳ５０６において、履歴ファイルの自動消去が選択されている場合には、各レイアウトの項目内容の保存期間が経過した時点で各レイアウトの項目内容が消去される。
【００８８】
以上説明したように、本実施の形態によれば、例えば２個のレイアウト７４ｃ，７４ｄの履歴ファイルを一つの履歴ファイルにまとめることができるので、メモリカード９０等の記録媒体へのメモリ容量の削減を図ることができる。このとき、各レイアウト７４ｃ，７４ｄの複数の項目の中で、必要な項目だけを選択して履歴ファイルを作成するので、よりメモリ容量の削減を図ることができる。さらに、履歴ファイルの項目が、各レイアウト７４ｃ，７４ｄの項目と一致しない場合には、該当する履歴ファイルの記録領域に何も保存しないので、履歴ファイルを一つにまとめた場合でも、メモリ容量の削減を図ることができる。
【００８９】
なお、本発明の技術範囲は、上述した実施形態に限定されるものではなく、本発明の趣旨を逸脱しない範囲において、上述した実施形態に種々の変更を加えたものを含む。例えば、ラベルプリンタ５０は、ラベル発行部６６と操作部６２および操作部６２とを別体により構成することもできる。この場合、制御部５２およびメモリ部６０は、双方に設けても良いし、何れか一方に設けても良い。また、上述した実施の形態では、ラベルデータに履歴情報やキーワード情報を含めるような構成としたが、これらの情報はラベルデータと独立に構成しても良い。
【符号の説明】
【００９０】
１０・・・情報処理装置
１２・・・制御部
２０・・・メモリ部
２２・・・操作部
２４・・・表示部
５０・・・ラベルプリンタ
５２・・・制御部
６０・・・メモリ部
６２・・・操作部
６４・・・表示部
６６・・・ラベル発行部
７４・・・ラベル
７４ｃ，７４ｄ・・・レイアウト
８０・・・ケーブル
９０・・・メモリカード
１００・・・ラベルプリンタシステム
【図１】
2010260221.tif 000003
【図２】
2010260221.tif 000004
【図３】
2010260221.tif 000005
【図４】
2010260221.tif 000006
【図５】
2010260221.tif 000007
【図６】
2010260221.tif 000008
【図７】
2010260221.tif 000009
【図８】
2010260221.tif 000010
【図９】
2010260221.tif 000011
【図１０】
2010260221.tif 000012
【図１１】
2010260221.tif 000013
【図１２】
2010260221.tif 000014
【図１３】
2010260221.tif 000015
【図１４】
2010260221.tif 000016